(57)【要約】【課題】記録されている動画像の内容を素早く確認できる記録媒体判別装置等を提供する。【解決手段】第１の記録媒体である記録媒体１３への動画像の記録時に、記録時刻情報を第２の記録媒体である記録媒体１６に記録する。記録媒体判別時には、記録媒体１３の再生信号から記録時刻情報を抽出し、記録媒体１６に保持されている記録時刻情報と比較することで記録媒体の判別を行う。また、記録媒体１３への動画像の記録時に、記録媒体１３における動画像が記録される位置を示す位置情報を記録媒体１６に記録する。記録媒体判別時に、記録媒体１３の再生信号から位置情報を抽出し、記録媒体１６に保持されている位置情報と比較することで、記録媒体の判別を確実に行うことができる。【選択図】  図９
2006244659.tif 000002
【特許請求の範囲】
【請求項１】
動画像データの記録時に、上記動画像データを第１の記録媒体に記録し、
上記第１の記録媒体に記録される動画像データの記録時刻情報を第２の記録媒体に記録し、
記録媒体の判別時に、上記第１の記録媒体に記録された動画像データから記録時刻情報を抽出し、
上記抽出された記録時刻情報と、上記第２の記録媒体に記録された記録時刻情報を比較することで記録媒体の判別を行う記録媒体判別装置。
【請求項２】
動画像データの記録時に、さらに、上記第１の記録媒体に記録される動画像データの位置情報を、上記第２の記録媒体に記録し、
記録媒体の判別時に、上記第１の記録媒体に記録された動画像データから位置情報を抽出し、
抽出された位置情報と、上記第２の記録媒体に記録された位置情報を比較することで記録媒体の判別を行う請求項１に記載の記録媒体判別装置。
【請求項３】
動画像データの記録時に、さらに、上記動画像データを構成する複数のフレームのうち、選択されたフレームの静止画像を、上記第２の記録媒体に記録する請求項１に記載の記録媒体判別装置。
【請求項４】
動画像データの記録時に、さらに、上記動画像データを構成する複数のフレームのうち、選択されたフレームの静止画像を、上記第２の記録媒体に記録する請求項２に記載の記録媒体判別装置。
【請求項５】
上記第１の記録媒体の識別のために、上記静止画像を表示部に表示する請求項３に記載の記録媒体判別装置。
【請求項６】
上記第１の記録媒体の識別のために、上記静止画像を表示部に表示する請求項４に記載の記録媒体判別装置。
【請求項７】
動画像データの記録時に、上記動画像データを第１の記録媒体に記録し、
上記第１の記録媒体に記録される動画像データの記録時刻情報を第２の記録媒体に記録する記録ステップと、
記録媒体の判別時に、上記第１の記録媒体に記録された動画像データから記録時刻情報を抽出し、
上記抽出された記録時刻情報と、上記第２の記録媒体に記録された記録時刻情報を比較することで記録媒体の判別を行う判別ステップからなる記録媒体判別方法。
【請求項８】
上記記録ステップは、さらに、上記第１の記録媒体に記録される動画像データの位置情報を、上記第２の記録媒体に記録するステップであり、
上記判別ステップは、上記第１の記録媒体に記録された動画像データから位置情報を抽出し、
抽出された位置情報と、上記第２の記録媒体に記録された位置情報を比較することで記録媒体の判別を行うステップである請求項７に記載の記録媒体判別方法。
【請求項９】
上記記録ステップは、さらに、上記動画像データを構成する複数のフレームのうち、選択されたフレームの静止画像を、上記第２の記録媒体に記録するステップである請求項７に記載の記録媒体判別方法。
【請求項１０】
上記記録ステップは、さらに、上記動画像データを構成する複数のフレームのうち、選択されたフレームの静止画像を、上記第２の記録媒体に記録するステップである請求項８に記載の記録媒体判別方法。
【発明の詳細な説明】
【技術分野】
【０００１】
この発明は、記録媒体判別装置および記録媒体判別方法に関する。詳しくは、記録媒体に記録されている映像情報の内容を素早く確認することができるようにした記録媒体判別装置および記録媒体判別方法に関する。
【背景技術】
【０００２】
カセットテープなどの記録媒体に記録された映像情報の内容を素早く確認し把握することは容易でない。カセットテープに記録された映像情報の内容を確認するには、そのつどテープを再生しなければならないからである。特に、記録媒体の数が多くなると、どの媒体に、どのような映像情報が記録されているかの把握がより困難となる。
【０００３】
かかる問題を解決するために、下記特許文献１には、記録媒体判別装置に関する発明が記載されている。特許文献１には、カセットテープが予め再生され、再生信号に含まれる画像記録時の記録開始時刻情報及び記録終了時刻情報が記憶部に保持され、記録媒体の判別時には、再生信号に含まれる記録時の時刻情報が記録部に保持される時刻情報と比較されることで、記録媒体の判別が行われる発明が記載されている。
【０００４】
【特許文献１】特開２０００−１１６１６号公報
【発明の開示】
【発明が解決しようとする課題】
【０００５】
しかしながら、上述した従来の技術には以下のような問題点があった。特許文献１に記載されている発明では、記録開始時刻情報および記録終了時刻情報は、カセットテープの再生信号から取得される。このため、記録開始時刻情報および記録終了時刻情報を取得するには、予めカセットテープを再生し、記憶部に記憶させなければならなかった。
【０００６】
また、特許文献１には、ユーザがカセットテープを差し替えて夫々の内容を確認することが記載されている（例えば、[００３５]の記載参照）。そのため、カセットテープが多いときには、カセットテープを差し替える回数が多くなり手間がかかってしまうという問題があった。
【０００７】
したがって、ある動画像が再生されるときには、当該動画像の記録開始時刻情報および記録終了時刻情報がすでに取得され、記録されていることが望まれる。また、カセットテープを頻繁に差し替えることなく、各カセットテープに記録された動画像の概要が分かればより使い勝手が高まる。
【０００８】
したがって、この発明の目的は、記録媒体に記録された動画像の内容を迅速に把握することができる記録媒体判別装置および記録媒体判別方法を提供することである。
【課題を解決するための手段】
【０００９】
上述した課題を解決するために、この発明の第１の態様は、動画像データの記録時に、動画像データを第１の記録媒体に記録し、
第１の記録媒体に記録される動画像データの記録時刻情報を第２の記録媒体に記録し、
記録媒体の判別時に、第１の記録媒体に記録された動画像データから記録時刻情報を抽出し、
抽出された記録時刻情報と、第２の記録媒体に記録された記録時刻情報を比較することで記録媒体の判別を行う記録媒体判別装置である。
【００１０】
この発明の第２の態様は、動画像データの記録時に、動画像データを第１の記録媒体に記録し、
第１の記録媒体に記録される動画像データの記録時刻情報を第２の記録媒体に記録する記録ステップと、
記録媒体の判別時に、第１の記録媒体に記録された動画像データから記録時刻情報を抽出し、
抽出された記録時刻情報と、第２の記録媒体に記録された記録時刻情報を比較することで記録媒体の判別を行う判別ステップからなる記録媒体判別方法である。
【発明の効果】
【００１１】
この発明によれば、記録媒体に記録された動画像の内容を迅速に把握することができる。また、この発明によれば、記録媒体に、記録媒体を判別するための識別情報を記録する領域を設けることなく、記録媒体の判別を行うことができる。
【発明を実施するための最良の形態】
【００１２】
以下、図面を参照しながらこの発明の一実施形態について説明する。図１は、この発明を適用したビデオカメラ１の主要な構成を示す。ビデオカメラ１は動画像データおよび静止画像データの記録再生が可能とされる。
【００１３】
はじめに、ビデオカメラ１の構成について説明する。カメラ信号処理部１０は、例えば、光学系、イメージセンサ、アナログ信号処理部、タイミング発生部からなる。光学系は、被写体光をイメージセンサに結像するレンズ系、赤外線カットフィルタ、光学的ローパスフィルタを含む構成とされる。
【００１４】
イメージセンサは、例えばＣＣＤ(Charge Coupled Device)やＣＭＯＳ（Complementary Metal Oxide Semiconductor）が用いられ、光電変換により被写体光に応じた電気的な撮像信号を生成する。アナログ信号処理部は、例えば、イメージセンサから供給される信号に含まれる種々の雑音を除去するＣＤＳ(Correlated Double Sampling)部、信号レベルを調節するＡＧＣ（Automatic Gain Control）部等から構成される。また、タイミング発生部は、イメージセンサに供給する駆動パルスを生成するタイミングジェネレータ（ＴＧ）部を含む構成とされる。
【００１５】
カメラ信号処理部１０において、アナログ信号処理がされた撮像信号は、図示しないＡ／Ｄ変換部でディジタル撮像信号へと変換され、映像信号処理部１１に供給される。映像信号処理部１１では、ホワイトバランス処理、補間処理、輪郭補償などの種々のディジタル信号処理が行われる。
【００１６】
記録再生制御部１２では、記録媒体１３に対応した信号処理が行われる。例えば、記録媒体１３がＤＶ（Digital Video）フォーマットの映像信号（音声信号を含む）やＨＤＶフォーマットの映像信号（音声信号を含む）の記録が可能なカセットテープであるときは、記録再生制御部１２では、ＤＶフォーマットやＨＤＶフォーマットに従って、映像信号および音声信号が圧縮され、所定のフォーマットの映像信号および音声信号が形成される。
【００１７】
また、記録再生制御部１２では、記録再生フォーマットに対応した信号処理が行われる。例えば、ＤＶフォーマットにおいては、記録再生制御部１２では、シャッフル処理、エラー訂正処理、多重化処理等が行われる。圧縮処理等がされた信号は記録符号化され、第１の記録媒体である記録媒体１３に記録される。
【００１８】
なお、記録媒体１３は、カセットテープに限定されない。記録媒体１３は、例えば、光ディスク、半導体メモリ等の媒体でもよい。記録再生制御部１２では、記録媒体１３に対応した処理がされる。例えば、記録媒体１３がＤＶＤ(Digital Versatile Disc)であるときは、記録再生制御部１２では、ＭＰＥＧ（Moving Picture Coding Experts Group）方式の符号化／復号化処理等が行われる。
【００１９】
また、映像信号処理部１１おいて、ディジタル信号処理がされた映像信号を構成するフレームのうち、所定のフレームが、システムコントロール部１４により抽出される。抽出されたフレームは、記録再生制御部１５に供給される。
【００２０】
記録再生制御部１５では、供給される所定のフレームの画像信号に対して、必要に応じて、縮小処理や圧縮処理が行なわれる。一例を示せば、６４０×４８０（水平画素数×垂直画素数）の画像信号を、１６０×１２０の静止画像に縮小する。また、圧縮処理の一例としては、例えばＪＰＥＧ(Joint Photographic Coding Expert Group)形式に基づく画像の圧縮処理が行われ、ＪＰＥＧ形式の画像ファイルが形成される。圧縮された信号の再生時に、記録再生制御部１５では、画像ファイルの伸張処理が行われる。
【００２１】
さらに、記録再生制御部１５では、画像ファイルが第２の記録媒体である記録媒体１６の記録に適したフォーマットへと変換される。変換された画像ファイルが、記録媒体１６に記録される。記録媒体１６は、例えば、ビデオカメラ１と着脱自在とされるフラッシュメモリとされるが、ＨＤＤ（Hard Disk Drive）などの不揮発性の媒体でもよい。
【００２２】
システムコントロール部１４は、例えば、マイクロプロセッサにより実現され、ビデオカメラ１の各部の制御を行う。また、システムコントロール部１４に対しては、操作情報処理部１７で生成された、操作入力に対応した電気信号が供給され、操作に対応した処理が実行される。
【００２３】
システムコントロール部１４は、さらに、表示処理部１８を制御することで、表示部であるＬＣＤパネル１９の制御を行う。表示処理部１８では、ＹＣ／ＲＧＢ変換やＡ／Ｄ変換などの画像信号処理が行なわれ、画像信号処理がされた再生動画像および再生静止画像がＬＣＤパネル１９に表示される。
【００２４】
ＬＣＤパネル１９には、再生画像が表示されるほか、各種の設定を行うためのメニュー画面が表示される。また、ＬＣＤパネル１９は、タッチパネルとして構成されてもよい。ＬＣＤパネル１９がタッチパネルとして構成されるときは、パネルの特定の箇所を押すことで、所定の機能が実行される。
【００２５】
次に、ビデオカメラ１の記録時の動作について説明する。記録時には、記録媒体１３に動画像が記録される。また、記録媒体１６には、例えば、記録される動画像を構成する複数のフレームのうち、所定のフレームの静止画像や、当該フレームの記録時刻情報、位置情報が記録される。
【００２６】
記録時の動作をより詳細に説明する。なお、以下の説明では、一例として、動画像の記録／再生がＤＶフォーマットに基づいて行われ、記録媒体１３がＤＶフォーマットの記録／再生ができるカセットテープであるものとして説明する。
【００２７】
カメラ信号処理部１０に含まれる撮像素子により撮像された被写体情報は、カメラ信号処理部１０、映像信号処理部１１、記録再生制御部１２において上述したような信号処理が行われ、記録媒体１３に記録される。
【００２８】
例えば、動画像の１フレームは、記録媒体１３上の１０本のトラックに記録される。各トラックにはサブコードセクタが設けられ、サブコードセクタには、ＩＤ部とサブコードデータが記録される。ＩＤ部に記録される情報には、位置情報の一例である絶対トラック番号（以下、適宜、トラック番号と略す）が含まれる。トラック番号は、テープの先頭からトラック１本ごとに付加される番号である。
【００２９】
また、サブコードデータは、記録日時を含む情報である。つまり、サブコードセクタには、記録年月日および記録時分秒を含む情報が記録される。
【００３０】
図２は、記録媒体１３に記録される動画像の一例を示す。図２では、記録される動画像をフレーム単位で示している。動画像は、フレームＦ１、フレームＦ２、フレームＦ３・・・と順次、記録媒体１３に記録される。なお、記録される動画像を構成するフレームの数は変動する。
【００３１】
また、記録媒体１３には、それぞれのフレームが記録される記録時刻情報と、フレームが記録されるトラックの位置を示すトラック番号が記録される。例えば、フレームＦ１の記録日時が‘2004年10月26日20時15分’であれば、その記録日時が記録時刻情報として記録媒体１３の所定のエリアに記録される。
【００３２】
また、フレームＦ１が記録される１０本のトラックには、トラック番号が付加される。例えば、フレームＦ１は動画像における先頭のフレームであるから、トラック番号‘00000001'〜‘00000010'が付加され、記録媒体１３の所定のエリアに記録される。他のフレームに関しても同様に、記録時刻情報とトラック番号が記録媒体１３に記録される。
【００３３】
なお、図２では、例えばフレームＦ１の記録時刻情報を‘2004.10.26.20:15'と表記している。また、フレームＦ１が記録される記録媒体１３上のトラック番号を、‘Tr．No.=00000001〜00000010’と表記している。
【００３４】
上述したようにして行われる動画像の記録時に、所定のタイミングに同期して、フレームの抽出が行われる。記録時に行われるユーザの操作入力に同期して、フレームの抽出が行われる例について説明する。
【００３５】
例えば、動画像の記録を行うためにＲＥＣボタンを押す操作入力が行われると、操作情報が操作情報処理部１７を経てシステムコントロール部１４に供給される。操作情報が供給されたシステムコントロール部１４は、映像信号処理部１１から記録される動画像の先頭、又は略先頭のフレームを抽出する。図２を用いて説明した動画像であれば、例えば、フレームＦ１が抽出される。
【００３６】
このとき、システムコントロール部１４は、抽出するフレームの記録時刻情報を併せて抽出する。例えば、フレームＦ１を抽出した場合は、フレームＦ１の記録時刻情報である‘2004.10.26.20:15'を併せて抽出する。
【００３７】
システムコントロール部１４は、抽出したフレームを記録再生制御部１５に供給する。記録再生制御部１５では、供給されたフレームの画像信号に対して、必要に応じて縮小処理や圧縮処理が行われる。信号処理が行われた画像信号が、静止画像として記録媒体１６に記録される。このとき、フレームの静止画像と、当該フレームの記録時刻情報が関連付けられて記録媒体１６に記録される。
【００３８】
また、動画像の記録が終了し、ＲＥＣボタンが離される操作が行われると、操作情報が操作情報処理部１７を経て、システムコントロール部１４に供給される。操作情報が供給されたシステムコントロール部１４は、記録される動画像の最後または略最後のフレームを、映像信号処理部１１から抽出する。
【００３９】
システムコントロール部１４は、抽出する動画像の最後または略最後のフレームを記録再生制御部１５に供給する。記録再生制御部１５では、供給されたフレームの画像信号に対して、必要に応じて縮小処理や圧縮処理が行われる。信号処理が行われた画像信号が、静止画像として記録媒体１６に記録される。このとき、フレームの静止画像と、フレームの記録時刻情報が関連付けられて記録媒体１６に記録される。
【００４０】
また、システムコントロール部１４は、抽出するフレームの位置情報を併せて抽出し、記録媒体１６に記録するようにしてもよい。すなわち、システムコントロール部１４は、抽出したフレームが記録される記録媒体１３上のトラック番号を取得し、記録再生制御部１５を介して、記録媒体１６に記録するようにしてもよい。
【００４１】
また、システムコントロール部１４がフレームを抽出するタイミングは、上述したＲＥＣボタンの操作による例に限定されない。例えば、ＲＥＣボタン以外の操作入力によるトリガに基づいて、所定のフレームを抽出してもよい。また、一定の固定周期によって、複数のフレームを抽出してもよい。
【００４２】
また、記録される動画像を、一旦、図示しないバッファメモリに蓄積し、記録が終了された後に、所定のフレームを抽出し、記録媒体１６に記録するようにすることもできる。
【００４３】
また、フレームの記録時刻情報のみを抽出し、記録媒体１６に記録するようにしてもよい。
【００４４】
ここで、フレームの静止画像や、当該フレームの記録時刻情報や位置情報の記録媒体１６への記録処理について、図３を参照してより詳細に説明する。ビデオカメラ１にカセットテープが装着され記録が開始されると、カセットテープに固有のＩＤが割り当てられる。このＩＤは、カセットテープがビデオカメラ１から離脱されるまで保持される。システムコントロール部１４は、このＩＤに基づいて記録媒体１６にフォルダを形成し、抽出したフレームの静止画像や記録時刻情報、位置情報を格納する。
【００４５】
例えば、図２を用いて説明した動画像を記録するために、ビデオカメラ１にカセットテープが装着されると、カセットテープに固有のＩＤとして００１が割り当てられる。このＩＤは、例えば、ＬＣＤ１９に表示されるなどユ−ザが認識できるようにされてもよい。また、ビデオカメラ１と接続されるプリンタによって、ＩＤが記載されたラベルが印刷されるようにしてもよい。
【００４６】
システムコントロール部１４は、割り当てられたＩＤに基づいて記録媒体１６に例えば、‘ＴＡＰＥ００１'というフォルダを形成する。そして、実際に動画像の記録が行われると、システムコントロール部１４により抽出されたフレームの静止画像や、記録時刻情報、位置情報は、フォルダ‘ＴＡＰＥ００１'に格納される。
【００４７】
例えば、図３に示すように、フォルダ‘ＴＡＰＥ００１'に記録開始時のフレ−ムと記録終了時のフレ−ムの静止画像が記録時刻情報、位置情報とともに記録される。勿論、記録開始時および記録終了時のフレ−ムの静止画像だけでなく、固定周期のトリガで周期的に抽出された複数のフレ−ムの静止画像が記録されるようにしてもよい。また、抽出される情報が記録時刻情報のみの場合は、記録時刻情報のみが記録される。
【００４８】
また、記録媒体１３に別のカセットテープが装着され、動画像の記録が行われるときは、例えば、カセットテープに００２というＩＤが割り当てられ、記録媒体１６にはフォルダ‘ＴＡＰＥ００２'が形成される。
【００４９】
次に、記録媒体の判別動作について説明する。判別動作は、記録媒体１３から抽出される記録時刻情報が、記録媒体１６から抽出される記録時刻情報と比較されることで行われる。
【００５０】
判別処理を実行するための操作入力がされると、操作情報処理部１７からシステムコントロール部１４へ、判別処理を実行するための制御信号が供給される。制御信号が供給されたシステムコントロール部１４は、記録再生制御部１２を制御して記録媒体１３を再生し、再生信号の先頭の位置等の所定の部分から記録時刻情報を抽出する制御を行う。例えば、ＤＶフォーマットでは、ビデオＡＵＸ（Auxilialy）の情報から記録時刻情報を抽出することができる。
【００５１】
また、システムコントロール部１４は、記録媒体１６を再生するように制御し、記録媒体１６から記録時刻情報を抽出する。記録媒体１６には、上述したように、記録媒体ごとに記録された記録時刻情報が保持されている。システムコントロール部１４は、記録媒体１３から抽出した記録時刻情報と、記録媒体１６から取得した記録媒体毎の複数の記録時刻情報と比較する。
【００５２】
例えば、図４に示すように、記録媒体１３から‘2004.10.26.20:18’という記録時刻情報が抽出されたとする。一方、記録媒体１６からは、フォルダＴＡＰＥ００１〜フォルダＴＡＰＥ００３が抽出されたとする。各フォルダには、静止画像と当該静止画像の記録時刻情報および位置情報が保持されている。システムコントロール部１４により行われる比較は、記録媒体１３から抽出した記録時刻情報が、記録媒体１６に保持されている記録時刻情報の範囲内に含まれているか否かを判別することで行われる。
【００５３】
図４の例では、記録媒体１３から抽出された記録時刻情報‘2004.10.26.20:18’は、ＴＡＰＥ００３に保持されている記録時刻情報‘2004.10.26.20:00’〜 ‘2004.10.26.21:00’の範囲内である。従って、再生される記録媒体１３は、この場合は、ＴＡＰＥ００３に保持されている情報と関連付けされていると判別することができる。なお、記録媒体１３から、例えば数分程度、継続して記録時刻情報を抽出し、抽出した記録時刻情報の範囲を、記録媒体１６の各フォルダに保持される記録時刻情報と比較するようにしてもよい。
【００５４】
また、記録時刻情報を比較するだけでなく、位置情報を比較するようにしてもよい。すなわち、記録媒体１３から位置情報を抽出し、記録媒体１６の各フォルダに保持されている位置情報の範囲内にあるか否かを判別する。例えば、図４に示した例では、記録媒体１３から抽出された位置情報‘Tr．No=00081’〜‘Tr．No=00090’は、ＴＡＰＥ００３に保持されている位置情報‘Tr．No=00001’〜‘Tr．No=00130’の範囲内にあると判別することができる。
【００５５】
例えば、記録媒体１３が、互いに同じ記録時刻情報を有する２つの記録媒体であるときは、いずれの記録媒体も、記録媒体１６におけるＴＡＰＥ００３と関連付けされている記録媒体と判別されてしまうおそれがある。そこで、上述したように、記録時刻情報だけでなく、位置情報も併せて比較することで、記録媒体の判別を確実に行うことができる。
【００５６】
このように、記録媒体１３の判別を行うことで以下のような効果が得られる。例えば、記録媒体１３に記録が行われ、記録終了後、記録媒体１３がビデオカメラ１から離脱されたとする。そして、再度、記録媒体１３がビデオカメラ１に装着され、記録媒体１３の空き領域に２回目の記録が行われるとする。この２回目の記録時にも、システムコントロール部１４により記録媒体１３の記録時刻情報、位置情報、静止画像が記録媒体１６に記録される。このとき、記録媒体１３に対応する、記録媒体１６におけるフォルダが判別されることで、同じ記録媒体１３に関する記録時刻情報等を、記録媒体１６における同じフォルダに記録することができる。
【００５７】
また、記録媒体１３の記録時刻情報や位置情報が、記録媒体１６に保持されるいずれの情報の範囲内で無い場合は、記録媒体１３はビデオカメラ１にはじめて使用される記録媒体と判別することができる。従って、動画像の記録時には、記録媒体１６に新たなフォルダが作成がされ、作成された新たなフォルダに記録時刻情報等が記録される。新たなフォルダには、例えば、連続した番号が付加される。
【００５８】
次に、記録媒体１６に保持されている情報を利用して、記録媒体１３の識別を行う機能について説明する。上述したように、記録媒体１３がカセットテープである場合などでは、カセットテープの内容を知るために、ビデオカメラ１に一旦、カセットテープを装着して再生する必要がある。そこで、この発明では、記録媒体１６に保持される情報のみを利用して、記録媒体１３に記録される動画像の概要を把握できるようにした。
【００５９】
より詳細に説明する。例えば、ビデオカメラ１に備えられる所定のボタンが押されると、操作情報処理部１７からシステムコントロール部１４に対し、操作情報が供給される。操作情報が供給されたシステムコントロール部１４は、記録媒体１６に記録されている情報を読み出す。そして、システムコントロール部１４は、読み出した情報を、表示処理部１８を経て、ＬＣＤ１９に表示する。
【００６０】
図５は、ＬＣＤ１９に表示されるＧＵＩの一例を示す。例えば、記録媒体１６にＴＡＰＥ００１〜ＴＡＰＥ００６という６つのフォルダが記録されているとする。このとき、ＬＣＤ１９には、参照符号４５〜参照符号５０で示すようなＴＡＰＥ００１〜ＴＡＰＥ００６を示すアイコンが表示され、それぞれのアイコンを選択できる画面が表示される。
【００６１】
表示されるアイコンを、例えば、ビデオカメラ１に設けられる十字キーなどの操作手段を用いて選択する。このとき、ＬＣＤ１９がタッチパネルとして構成される場合は、ＬＣＤ１９をタッチするだけで、直接的な操作が可能となる。
【００６２】
ＬＣＤ１９の表示領域の制約からすべてのフォルダのアイコンを表示できない場合は、例えば、ＬＣＤ１９に表示される方向指示ボタン４１および方向指示ボタン４２を操作することで画面をスクロールし、他のアイコンを表示することもできる。
【００６３】
図５に示したＧＵＩにおいて、例えば、ＴＡＰＥ００１のアイコンが選択され、ＯＫボタン５１が押されると、ＬＣＤ１９の画面はＴＡＰＥ００１内の情報が表示される画面に遷移する。図６は、ＴＡＰＥ００１の内容を示す画面の一例である。
【００６４】
例えば、ＬＣＤ１９には、ＴＡＰＥ００１に記録されている静止画像６１〜静止画像６６が表示される。勿論、表示される静止画像の枚数は、６枚に限らない。方向指示ボタン６７や方向指示ボタン６８を操作することで、他の静止画像を表示するようにすることもできる。
【００６５】
静止画像６１〜静止画像６６は、ＴＡＰＥ００１というＩＤが割り振られたカセットテープに動画像が記録される際に、動画像から抽出される静止画像である。上述したように、動画像の記録時に、例えば固定周期で複数の静止画像を記録媒体１６に記録しておくことにより、記録された静止画像をインデックス画像として用いることが可能となる。
【００６６】
ユーザは、表示される複数の静止画像を確認することでテープに記録された動画像の概要を知ることができる。例えば、ＴＡＰＥ００１の静止画像を見て、その静止画像が再生したい動画像である場合は、ＴＡＰＥ００１に対応するテープを再生すればよい。このとき、テープに‘００１'のラベルが貼付されていれば、対応関係をより明確とすることができる。
【００６７】
ユーザは、静止画像の確認をした後は、例えば、ＯＫボタン６９やメニューボタン７０を操作することで、図５を用いて説明したＧＵＩの画面や、メニュー画面に戻ることができる。
【００６８】
このように、記録媒体１３の再生を行わずに、記録媒体１６に記録されている情報を再生するだけで、再生したいテープの識別を行うことができる。
【００６９】
図７は、動画像の記録時に行われる処理の流れを示すフローチャートである。動画像の記録が開始されると、ステップＳ１１では、ユーザのトリガがあるか否かの判別がされる。ユーザからのトリガがあるときは、処理はステップＳ１３に進む。ユーザからのトリガがない場合は、処理がステップＳ１２に進む。
【００７０】
ステップＳ１２では、固定周期のトリガがあるか否かが判別される。固定周期のトリガがある場合は、処理がステップＳ１３に進む。固定周期のトリガがない場合は、処理がステップＳ１４に進む。
【００７１】
ステップＳ１３では、ユーザからのトリガ又は固定周期によるトリガがあることから、トリガに基づいて動画像の所定のフレームの静止画像が、記録媒体１６に記録される。また、上述したように、記録媒体１６に記録される静止画像の、記録時刻情報や位置情報が記録媒体１６に記録されるようにしてもよい。
【００７２】
ステップＳ１４では、動画像の記録が終了したか否かが判別される．記録が終了した場合は、処理は終了する。また、記録が終了していない場合は、処理がステップＳ１１に戻り、再び、トリガの有無が判別される。
【００７３】
なお、動画像の記録開始の操作がトリガとされる場合は、記録開始の操作によって静止画像や記録時刻情報、位置情報が記録媒体１６に記録される。
【００７４】
図８は、動画像の再生時の処理を示すフローチャートである。この一実施形態におけるビデオカメラ１では、動画像の記録時だけでなく、再生時にも記録媒体１６に静止画像等を記録することができる。
【００７５】
ステップＳ２１では、ユーザのトリガがあるか否かの判別がなされる。ユーザからのトリガがあるときは、処理はステップＳ２３に進む。ユーザからのトリガがない場合は、処理がステップＳ２２に進む。
【００７６】
ステップＳ２２では、固定周期のトリガがあるか否かが判別される。固定周期のトリガがある場合は、処理がステップＳ２３に進む。固定周期のトリガがない場合は、処理がステップＳ２４に進む。
【００７７】
ステップＳ２３では、ユーザから又は固定周期によるトリガがあることから、トリガに基づいて動画像の所定のフレームの静止画像が、記録媒体１６に記録される。また、上述したように、記録媒体１６に記録される静止画像の、記録時刻情報および／または位置情報が記録媒体１６に記録されるようにしてもよい。
【００７８】
ステップＳ２４では、動画像の再生が終了したか否かが判別される。再生が終了した場合は、処理は終了する。また、再生が終了していない場合は、処理がステップＳ２１に戻り、再び、トリガの有無が判別される。
【００７９】
図９は、判別時の処理の流れを示すフローチャートである。すなわち、図４を参照して説明した、記録媒体１３から抽出される情報と、記録媒体１６に保持されている情報を比較することで行われる判別処理の流れを示す。
【００８０】
ステップＳ３１では、記録時刻情報の範囲内であるか否かの判別が行われる。記録媒体１３からは、記録時刻情報が抽出される。また、記録媒体１６には、各テープに割り振られたＩＤ毎のフォルダが形成され、各フォルダには記録時刻情報と位置情報が保持されている。ステップＳ３１では、記録媒体１３から抽出された記録時刻情報が、記録媒体１６の、例えば、ＴＡＰＥ００１というフォルダ内の記録時刻情報の範囲内であるか否かの判別が行われる。
【００８１】
ステップＳ３１において、記録媒体１３から抽出された記録時刻情報が、ＴＡＰＥ００１に保持される記録時刻情報の範囲内でない場合は、処理が、ステップＳ３４に進む。ステップＳ３４では、記録媒体１３から抽出された記録時刻情報と比較される情報が、次の情報に切り替わる。例えば、記録媒体１３から抽出される記録時刻情報が、ＴＡＰＥ００２に保持されている記録時刻情報と比較されることになる。
【００８２】
ステップＳ３１において、記録媒体１３から抽出された時刻情報が、ＴＡＰＥ００１に保持される記録時刻情報の範囲内である場合は、処理が、ステップＳ３２に進む。ステップＳ３２では、記録媒体１３から抽出された位置情報が、ＴＡＰＥ００１に保持される位置情報の範囲内であるか否かの判別が行われる。上述したように、記録時刻情報と併せて位置情報の比較を行うことで、記録媒体の判別を確実に行うことができる。
【００８３】
記録媒体１３から抽出された位置情報が、ＴＡＰＥ００１に保持される位置情報の範囲内でない場合は、処理がステップＳ３４に進む。記録媒体１３から抽出された位置情報と比較される情報が、次の情報に切り替わる。例えば、記録媒体１３から抽出される位置情報が、ＴＡＰＥ００２に保持されている位置情報と比較されることになる。
【００８４】
記録媒体１３から抽出された位置情報が、ＴＡＰＥ００１に保持されている位置情報の範囲内である場合は、処理がステップＳ３３に進む。ステップＳ３３では、該当する記録媒体が確定される。すなわち、ステップＳ３３では、記録媒体１６に記録されている、固有のＩＤが割り当てられた複数のフォルダの中で、記録媒体１３と対応するフォルダが確定する。例えば、ある記録媒体１３に対応するフォルダがＴＡＰＥ００１であると確定すれば、同一の記録媒体１３に再び動画像が記録されるときに、静止画像等の情報は、記録媒体１６のＴＡＰＥ００１に記録される。
【００８５】
この発明は、この発明の要旨を逸脱しない範囲内でさまざまな変形や応用が可能であり、上述した一実施形態に限定されることはない。上述した一実施形態では、撮像装置の一例であるビデオカメラ１を用いて説明したが、撮像機能を有しない記録再生装置等にもこの発明を適用できる。
【００８６】
また、記録媒体１６に記録されている静止画像を、記録媒体１３の再生の頭出しのために用いることもできる。例えば、記録媒体１３と記録媒体１６がビデオカメラ１に装着されているとする。図６を用いて説明したＧＵＩにおいて、例えば静止画像６１が選択されたとする。システムコントロール部１４は、記録媒体１６に保持されている静止画像６１の位置情報を抽出し、抽出した静止画像６１の位置情報を再生開始位置として記録媒体１３の再生を行うようにしてもよい。このように、ユーザは記録された動画像の内容を知るだけでなく、記録された動画像の所望のシーンを視聴することが可能となる。
【図面の簡単な説明】
【００８７】
【図１】この発明の一実施形態におけるビデオカメラの構成を示すブロック図である。
【図２】この発明の一実施形態における記録媒体１３に記録される動画像の構成の一例を示す略線図である。
【図３】この発明の一実施形態における記録媒体１６に記録される情報の一例を示す略線図である。
【図４】この発明の一実施形態における判別処理の一例を示す略線図である。
【図５】この発明の一実施形態におけるＬＣＤに表示されるＧＵＩの一例を示す。
【図６】この発明の一実施形態におけるＬＣＤに表示される他のＧＵＩの一例を示す。
【図７】この発明の一実施形態における動画像の記録時の処理を示すフローチャートである。
【図８】この発明の一実施形態における動画像の再生時の処理を示すフローチャートである。
【図９】この発明の一実施形態における記録媒体判別時の処理を示すフローチャートである。
【符号の説明】
【００８８】
１              ビデオカメラ
１２            記録再生制御部
１３            記録媒体
１４            システムコントロール部
１５            記録再生制御部
１６            記録媒体
１９            ＬＣＤ
【図１】
2006244659.tif 000003
【図２】
2006244659.tif 000004
【図３】
2006244659.tif 000005
【図４】
2006244659.tif 000006
【図５】
2006244659.tif 000007
【図６】
2006244659.tif 000008
【図７】
2006244659.tif 000009
【図８】
2006244659.tif 000010
【図９】
2006244659.tif 000011